(57)【要約】【課題】  脳手術で使われるノイロガーゼは脳内部の必要部所毎に印となるノイロガーゼを目印として付ける事で手術がより安全に,行われる為に使われるものである。このノイロガーゼの生産は不織布等で出来たチップ片に凡260ｍｍ程度の丈夫なポリエステル糸等の糸を、人手により抜けない様に一つ一つ手作業で縫い付けて作られている、このため多くに人手を必要とするので衛生面での問題や人件費が大きな問題と成っている。【解決手段】   この発明は人手に頼らずに衛生的に不織布のチップにポリエステル糸の様な丈夫な糸を連続して自動的に縫い付ける事を目的にしたものである。 【選択図】  図３
2018046913.tif 000002
【特許請求の範囲】
【請求項１】
刺繍枠５の前方と260ｍｍ〜300ｍｍa又は（用途に合った糸の長さ）離れた後方の刺繍枠５に前方の固定金具６と後方の固定金具７でそれぞれ不織布を固定して前方の不織布を縫い付けた後、刺繍枠５を前方煮260ｍｍ~300ｍｍaの長さを移動して後方の固定金具７で固定された不織布を縫うと、左側に5ｍｍ、10ｍｍb又は用途に合った幅だけ刺繍枠５が移動しながら連続して縫って行く方法。
【請求項２】
刺繍枠５にノイロガーゼ用の不織布８９を前方と後方に固定金具６７で固定して通常使われている様な刺繍布を使わずに縫い付ける方法。
【請求項３】
ノイロガーゼになるテープ状の不織布８、９をさらに長くロール状１３、１４に巻く事によってセットされた一定の枚数を縫い終え、次にセットする場合に刺繍台の上で前方１５、と後方１６の不織布を一度に左方向へ引き出す事で次に縫い付ける不織布をセットするのに掛かる時間を大幅に短縮する方法。
【請求項４】
刺繍枠５の前方１７と後方１８に不織布のテープが右から左に移動出来る様なガイド部を設けた刺繍枠。
【請求項５】
刺繍枠５は前方と後方に260ｍｍ〜300ｍｍa（決められた長さ）に移動して前方の部分と後方の部分を縫い次に刺繍枠５は左方向には移動させず固定、縫い終えた不織布を前方１５と後方１６のそれぞれを、コンピューターで決められた幅だけを巻き取りロール２１、２２で左方向に巻き取る事でテープ状に巻かれた不織布１９、２０を連続して縫う事が出来る事を特徴としたノイロガーゼの製造法。                                                                
【発明の詳細な説明】
【技術分野】
【０００１】
この発明は、脳外科手術などの際に用いられる回収糸を備えた手術用吸収ガーゼの製造方法及び製造装置に関するものである。
【背景技術】
【０００２】
従来から脳手術で使われるノイロガーゼ（脳外科手術用吸収ガーゼ）は全て人手により不織布等で出来た小さなチップに一つ一つを縫い針で縫い付ける事で造られていて、作業環境により衛生めん、生産コスト、作業者によって不均一な製品が出来てしまい又沢山の熟練者が必要などの問題が多い。
【先行技術文献】
【特許文献】
【０００３】
【特許文献１】特許第４２１６７６０号公報
【特許文献２】特許第４８１９２４３号公報
【発明の概要】
【発明が解決しようとする課題】
【０００４】
脳手術で使われるノイロガーゼは脳内部の必要部所毎に印となるノイロガーゼを目印として付ける事で手術がより安全に行われる為に使われるものである。このノイロガーゼの生産は不織布等で出来たチップ片に凡260ｍｍ程度の丈夫なポリエステル糸等の糸を、人手により抜けない様に一つ一つ手作業で縫い付けて作られている、このため多くに人手を必要とするので衛生面での問題や人件費が大きな問題と成っている。
従来から脳手術で使われるノイロガーゼは全て人手により一つ一つ縫針で縫い付ける事で造られていて作業環境により衛生めん生産コスト、作業者によって不均一な製品が出来てしまい熟練者が必要などの問題が多い。
【課題を解決するための手段】
【０００５】
従来は人の手で一つ一つに切離された不織布の中から一つを取り出し、縫い針に通されたポリエステル糸の様な丈夫な糸を、取り出した不織布片に縫いつけさらに、決められた長さに切断しすると言う作業が行われていた。それらの煩わしい作業を、ノイロガーゼの幅にカットされていない不織布（長さ20ｃｍから30ｃｍの長さの不織布）を刺繍機の刺繍枠の前部と後部にノイロガーゼ用の不織布を固定金具で固定して前部の固定金具で固定された不織布を縫い付けると、刺繍枠が前方へ260ｍｍ〜300ｍｍa（又は用途に合った長さ）離れた後方に移動して後方の固定金具に固定された不織布を縫い付ける、すると刺繍枠は左方向へ20ｍｍ~70ｍｍ又は決められた長さだけ移動しこのまま前方へ260ｍｍ~300ｍｍ又は用途に合った長さだけ移動して後方の固定金具に固定された不織布を縫い付ける、この繰り返しでセットした不織布の長さの右端までポリエスケルの様な丈夫な糸を縫い付けると、前部と後部の固定金具を外して新しい不織布をセットする、この繰り返しで、連続して前部の不織布と後部の不織っ布を連続して縫い付ける事が出来る特徴としたノイロガーゼの製造方法及び製造装置である。
一方のポリエステル糸の長さ凡例えば前方に固定された不織布に刺繍ミシンで縫い付けてから刺繍台を260ｍｍから300ｍｍa（又は用途に合った長さ）を後方に移動させて後方にセットされた不織布に縫い付ける、すると刺繍枠が左方向ノイロガーゼの幅（5ｍｍ、10ｍｍ、15ｍｍ、20ｍｍ、25ｍｍ、30ｍｍ、b又は用途に合った幅）を移動してから、今度は刺繍枠が260ｍｍ〜300ｍｍa（又は用途に合った長さ）前方に移動し今度は前方に固定され左にノイロガーゼの幅だけ移動した所をミシンが縫い、この繰り返しで連続して縫って行く事が出来る、事を特徴とするノイロガーゼの製造方法及び製造装置である。
【０００６】
この発明は、刺繍機の刺繍台の前部及び後部にそれぞれ左右に縫い付け用の不織布を固定出来る様に押さえ器具又はガイド等でセットし、刺繍台を前方と後方に260ｍｍ〜300ｍｍ（決められた長さ）、左右に5ｍｍ〜40ｍｍ（決められた幅）に移動させながらポリエステルのような丈夫な糸を連続して縫い付ける方法及び装置である。
刺繍機は刺繍する目的物により、刺繍台を前方と後方、左右に移動する事で固定された目的物にポリエステルのような丈夫な糸を縫い付ける方法及び装置である。
刺繍台の前方と後方にそれぞれイロガーゼとなる不織布に合ったガイドを取り付けロール状に巻かれたノイロガーゼとなる不織布を横方向に移動し縫い終わると押さえ金具を上げるだけでロール状に巻かれたイロガーゼとなる不織布を左方向に引出し簡単にセットする方法及び装置である。
【０００７】
刺繍台の前方と260ｍｍ〜300ｍｍ又は（用途に合った糸の長さ）離れた後方の刺繍台にそれぞれ不織布を固定して刺繍台を前後に移動かつ左側に5ｍｍ、10ｍｍ又は用途に合った幅だけ移動しながら連続して縫って行く方法。刺繍台にノイロガーゼ用の不織布を前方と後方に固定するにはミシンの針が当たらない部分を横方向に押さえて従来使われていたバイリーンを使わずに糸だけを縫い付ける方法。ノイロガーゼになるテープ状の不織布をさらに長くロール状に巻く事によってセットされた一定の枚数を縫い終え、次にセットする場合に刺繍台の上で前方、と後方の不織布を一度に左方向へ引き出す事でセットに掛かる時間を大幅に短縮する方法。刺繍台の前方と後方に不織布のテープが右から左に移動出来るガイド部を設けた刺繍台。刺繍台は前方と後方に260ｍｍ〜300ｍｍ（決められた長さ）に移動して前方の部分と後方の部分を縫い次に刺繍台は左方向には移動させず固定、縫った不織布を前方と後方それぞれを、決められた幅だけを左に巻き取る事でテープ状に巻かれた不織布を連続して縫う事が出来る、刺繍台を左方向に移動させ、次に縫い終えた前部と後部の不織布を左方向に引き出して位置を決めて同時に刺繍台を右方向に戻す必要が無く成りテープ状に巻かれた不織布を縫い終わる迄自動で連続して縫い続ける事が出来る。
【発明の効果】
【０００８】
従来は、脳手術で使われるノイロガーゼは全て人手により一つ一つ縫針で縫い付ける事で造られていて作業環境により衛生めん生産コスト、作業者によって不均一な製品が出来てしまい沢山の熟練者が必要などの問題が多かったのに対し、本発明は刺繍機で前後に260ｍｍ〜300ｍｍ（決められた距離）左右に5ｍｍ〜50ｍｍ（決められた幅）を機械が自動的に縫う事により衛生的に安定した生産量を生産する事が出来る。また刺繍機に縫い糸の長さ及び刺繍物の横幅の長さの情報を
刺繍機のコンピュターに入力し巻き取りロールを作動する事により入力した情報通りのノイロガーゼを自動で連続して安定した生産する事が出来る。
【図面の簡単な説明】
【０００９】
【図１】本発明に係るノイロガーゼの説明図
【図２】本発明の請求項１に係る製造方法・装置の概念図
【図３】本発明の請求項３に係る製造方法・装置の概念図
【図４】本発明の請求項５に係る製造方法・装置の概念図
【図５】本発明の製造方法・装置で製造されたノイロガーゼの説明図
【発明を実施するための形態】
【００１０】
・  不織布交換方式
刺繍枠５の前方と260ｍｍ〜300ｍｍ又は（用途に合った糸の長さ）離れた後方の刺繍枠５に前方の固定金具６と後方の固定金具７でそれぞれ不織布を固定して前方の不織布を縫い付けた後、刺繍枠５を前方煮260ｍｍ~300ｍｍの長さを移動して後方の固定金具７で固定された不織布を縫うと、左側に5ｍｍ、10ｍｍ又は用途に合った幅だけ刺繍枠５が移動しながら連続して縫って行く方法。
２）バイリーンを使わない方法                                                            
刺繍枠５にノイロガーゼ用の不織布８、９を前方と後方に固定金具６、７で固定して通常使われている様な刺繍布を使わずに縫い付ける方法。
３）不織布引き抜き式                                                      
ノイロガーゼになるテープ状の不織布８、９をさらに長くロール状１３、１４に巻く事によってセットされた一定の枚数を縫い終え、次にセットする場合に刺繍台の上で前方１５、と後方１６の不織布を一度に左方向へ引き出す事で次に縫い付ける不織布をセットするのに掛かる時間を大幅に短縮する方法。
４）刺繍枠５の前方１７と後方１８に不織布のテープが右から左に移動出来る様なガイド部を設けた刺繍枠。
５）コンピュターで送る方式
刺繍枠５は前方と後方に260ｍｍ〜300ｍｍa（決められた長さ）に移動して前方の部分と後方の部分を縫い次に刺繍枠５は左方向には移動させず固定、縫い終えた不織布を前方１５と後方１６のそれぞれを、コンピューターで決められた幅だけを巻き取りロール２１、２２で左方向に巻き取る事でテープ状に巻かれた不織布１９、２０を連続して縫う事が出来る事を特徴としたノイロガーゼの製造法。
【００１１】
図１において、１はノイロガーゼ用不織布、２はノイロガーゼ用不織布のロール状に巻かれた物、３は不織布から切離されたノイロガーゼ、４はポリエステルの様な丈夫な糸の付いた製品に成ったノイロガーゼ、ａはポリエステルの様な丈夫な糸が移動して260ｍｍ~300ｍｍの長さ、ｂはポリエステルの様な丈夫な糸が縫い付けた後5ｍｍ~40ｍｍ又和決められた幅だけ左方向に移動する長さである。
図２において、５は刺繍枠（不織布交換式）、６は刺繍枠に取り付けられた前方の不織布押さえ金具、７は刺繍枠に取り付けられた後方の不織布押さえ金具、８は刺繍枠に固定された前方の不織布、９は刺繍枠に固定された後方の不織布、１０は前方の不織布８と後方の不織布９に縫い付けられたポリエステルの様な丈夫な糸である。
図３において、１１は刺繍枠に固定された前方のガイド（不織布引き抜き式）、１２は刺繍枠に固定された後方のガイド、１３はロール状に巻かれ前方のガイドに固定された不織布、１４はロール状に巻かれ後方のガイドに固定された不織布、１５は刺繍機によって縫い付けられ引き出された前方の不織布、１６は刺繍機によって縫い付けられ引き出された後方の不織布、１０は前方の不織布１５と後方の不織布１６に縫い付けられたポリエステルの様な丈夫な糸である。
図４において、１７は刺繍台に固定された前方のガイド（不織布コンピユーター巻き取り式）、１８は刺繍台に固定された後方のガイド、２１はコンピューター制御で決められた幅だけ巻き取る前方の巻き取りロール、２２はコンピューター制御で決められた幅だけ巻き取る後方の巻き取りロールである。
図５において、２３は縫い終わって刺繍台から外されポリエステルの様な丈夫な糸の片方の糸を切り離された前方の不織布、２４は縫い終わって刺繍台から外されポリエステルの様な丈夫な糸の片方の糸を切り離された後方の不織布である。
【００１２】
この発明は、刺繍機の刺繍枠５の前部６及び後部７にそれぞれ左右に縫い付け用の不織布８９を固定出来る様に押さえ器具又はガイド等でセットし、刺繍枠５を前方と後方に260ｍｍ〜300ｍｍa（決められた長さ）、左右に5ｍｍ〜40ｍｍb（決められた幅）に移動させながらポリエステルの様な丈夫な糸を縫い付ける方法である。
ロール状に巻かれたノイロガーゼ用の不織布１３，１４を刺繍枠５に固定された前方のガイド１１と後方のガイド１２を通して,前部の不織布１３に縫い付け次に刺繍枠５を前後に２６０ｍｍ~３００ｍｍa又は決められた長さを後方に移動させて後方の不織布に縫い付ける、今度は前部の不織布１３と後部の不織布１４を5ｍｍ~60ｍｍb又は決められた長さを刺繍枠５を左方向へ移動させ、この繰り返しで固定ガイドの右端まで縫い終えると、縫い終えた前部１５と後部１６の不織布を一緒に左方向に引き抜く事により次に縫う不織布１３と１４を簡単にセットする事が出来る様にした方法。
ロール状に巻かれたノイロガーゼ用の不織布１９、２０を刺繍枠５に固定された前方のガイド１７と後方のガイド１８を通して前部１９の不織布に縫い付け次に刺繍枠５を前後に260ｍｍ~300ｍｍa又は決められた長さを後方に移動させて後方の不織布２０に縫い付ける、今度は刺繍枠５は左右に移動させないで固定のまま、縫い終えた不織布１５、１６はコンピューターに入力された巻き取りロール２１と２２が情報通りの幅だけ回転して５ｍｍ~４０ｍｍbの長さだけを左方向へ巻き取る、この繰り返しで、連続してロール状に巻かれた不織布１９と２０が終わるまで連続して不織布を縫い続ける事が出来る。
【００１３】
脳手術で使われるノイロガーゼは脳内部の必要部所毎に印となるノイロガーゼを目印として付ける事で手術がより安全に,行われる為に使われるものである。このノイロガーゼの生産は不織布等で出来たチップ片に凡260ｍｍ程度のレントゲンに反応する糸を、抜けない様に一つ一つ手作業で縫い付けて作られている、このため多くに人手を必要とするので衛生面での問題や人件費が大きな問題と成っている。この発明は人手に頼らずに衛生的に不織布のチップに糸を縫い付ける事を目的にしたものである。
従来は人の手で一つ一つに切離された不織布の中から一つを取り出し、縫い針に通されたレントゲン反応糸を取り出した不織布に縫い付けてレントゲン反応糸を決められた長さに切断しすると言う作業が行われていた。それらの煩わしい作業を、ノイロガーゼにカットされていない長さ20ｃｍから30ｃｍの長さの不織布を刺繍ミシンの刺繍台の前方とレントゲン反応糸の長さ凡260ｍｍ〜300ｍｍ（又は用途に合った長さ）離れた後方にセットし例えば前方に固定された不織布に刺繍ミシンで縫い付けてから刺繍台を260ｍｍから300ｍｍ（又は用途に合った長さ）を後方に移動させて後方にセットされた不織布に縫い付ける、すると刺繍台が左方向へノイロガーゼの幅（5ｍｍ、10ｍｍ、15ｍｍ、20ｍｍ、25ｍｍ、30ｍｍ、又は用途に合った幅）を移動してから今度は刺繍台が260ｍｍ〜300ｍｍ（又は用途に合った長さ）前方に移動し今度は前方に固定され左にノイロガーゼの幅だけ移動した所をミシンが縫い、この繰り返しで連続して縫って行く事が出来る、事を特徴とするノイロガーゼの製造法である。
【符号の説明】
【００１４】
３  ノイロガーゼ
５  刺繍枠
６、７  固定金具
８、９  不織布
【図１】
2018046913.tif 000003
【図２】
2018046913.tif 000004
【図３】
2018046913.tif 000005
【図４】
2018046913.tif 000006
【図５】
2018046913.tif 000007